(57)【特許請求の範囲】
【請求項１】
ポリ袋の開口部を閉鎖するためのポリ袋用閉鎖器具であって、  前記ポリ袋の開口部側所定位置を縒って細くした巻き付け部を巻き付ける金属製の棒部材からなる直線部と、  前記直線部の両端になめらかに連続し、前記ポリ袋の巻き付け部を前記直線部に巻き付けた両側部分を引っ掛ける金属製の棒部材からなる略半円弧状の湾曲部と、  前記湾曲部の先端に取り付けた略球状の金属製の膨出部とを有し、  前記直線部およびこの直線部の両側の前記湾曲部とが略同一面上にあって全体略Ｓ字形状を形成し、両湾曲部を上下方向に並べると前記直線部が斜めになり、前記開口部の周長と、前記湾曲部の内径との比が、１００対１〜１０であることを特徴とするポリ袋用閉鎖器具。
【請求項２】
前記膨出部の直径が、５〜２０ｍｍであることを特徴とする請求項１に記載のポリ袋用閉鎖器具。
【請求項３】
請求項１または２記載のポリ袋用閉鎖器具の直線部に、前記ポリ袋の巻き付け部を２回以上巻き付けた後、前記直線部の両側の湾曲部に前記巻き付け部を引っ掛けることを特徴とするポリ袋の閉鎖方法。
【発明の詳細な説明】
【技術分野】
【０００１】
本発明は、開口したポリ袋を一時的に閉鎖してほこり等の侵入を防止するためのポリ袋用閉鎖器具およびポリ袋の閉鎖方法に関する。
【背景技術】
【０００２】
食品などを工業的規模で生産する際、食品原料を予め計量してポリ袋等の袋に小分けして収容し、ほこり等の異物が混入しないように、また、収容物がこぼれないように袋の開口部を閉鎖する。この際、袋の開口部をヒートシールで密封したり、結んだりして閉鎖することも可能だが、多数の袋を閉鎖する場合には、工数の増加、コストアップ、作業員の労力の負担等、の問題がある。また、生産途中においては、容易に閉鎖を解除して袋の開口部を開ける必要がある。
【０００３】
そこで、袋の開口部を閉鎖するための簡易な閉鎖器具が提案されている（例えば特許文献１参照）。
図６（Ａ）〜（Ｄ）に示すように、閉鎖器具１００Ａ〜１００Ｄ（なお、以下において閉鎖器具を総称する際には、「閉鎖器具１００」と表示する。）は、袋１０１を構成する素材を圧縮した状態で挿入する挿入口１０２と、この挿入口１０２に連続し、かつ、袋１０１を囲んだ状態で把持する把持部１０３を有するユニット１０４を一もしくは複数個有する。
【０００４】
従って、袋１０１の開口部を閉鎖する際には、閉鎖器具１００の挿入口１０２に袋１０１を通して、袋を絞ることにより開口部を閉鎖する。あるいは、複数の挿入口１０２を有する場合には、各挿入口１０２に挿入することにより、開口部を閉鎖する。
【０００５】
このとき、閉鎖器具１００の把持部１０３と袋１０１との間の接触摩擦によって、閉鎖器具１００は袋１０１から脱落しないので、袋１０１の開口部を容易に閉鎖することができる。
【先行技術文献】
【特許文献】
【０００６】
【特許文献１】実登３００３８０６号公報（第１図〜第４図）
【発明の概要】
【発明が解決しようとする課題】
【０００７】
しかしながら、前述したような袋用の閉鎖器具１００においては、挿入口１０２が鋭利（鋭利部１０５）になっているため、閉鎖器具１００を着脱する際に、袋１０１を破損するおそれがある。
【０００８】
また、図６に示すように、袋１０１を挿入口１０２あるいは上下の挿入口１０２にまっすぐに通して使用するため、袋１０１が重い場合や、閉鎖器具１００が袋１０１の大きさに対応していない場合には、閉鎖器具１００を持ち上げたときに閉鎖器具１００から抜け落ちるおそれがある。
【０００９】
さらに、前述したように、特に食品生産工場で使用する際には、異物混入は絶対に避けなければならず、閉鎖器具１００を落として紛失した場合には、紛失した閉鎖器具１００を発見できなければ、それまでに生産して袋１０１に収容した食品加工品全てが使用できなくなるおそれもある。このため、紛失したことがすぐにわかるようにすることが望まれる。
【００１０】
そこで、本発明は上記問題点に鑑みなされたものであって、ポリ袋を損傷することなく、確実にポリ袋の開口を閉鎖することができ、紛失したときにはすぐに気が付くことができるようなポリ袋用閉鎖器具およびポリ袋の閉鎖方法を提供することを目的とする。
【課題を解決するための手段】
【００１１】
上記課題を解決するために、本発明のポリ袋用閉鎖器具は、ポリ袋の開口部を閉鎖するためのポリ袋用閉鎖器具であって、前記ポリ袋の開口部側所定位置を縒って細くした巻き付け部を巻き付ける金属製の棒部材からなる直線部と、前記直線部の両端になめらかに連続し、前記ポリ袋の巻き付け部を前記直線部に巻き付けた両側部分を引っ掛ける金属製の棒部材からなる略半円弧状の湾曲部と、前記湾曲部の先端に取り付けた略球状の金属製の膨出部とを有し、前記直線部およびこの直線部の両側の前記湾曲部とが略同一面上にあって全体略Ｓ字形状を形成し、両湾曲部を上下方向に並べると前記直線部が斜めになり、前記開口部の周長と、前記湾曲部の内径との比が、１００対１〜１０である構成を有している。
【００１２】
この構成により、全体略Ｓ字形状のポリ袋用閉鎖器具を金属製の棒部材から形成し、直線部と両側に設けられる湾曲部とをなめらかに連続したので、ポリ袋を損傷させない。また、Ｓ字形状の両端に略球状の金属製の膨出部を設けたので、ポリ袋が脱落しにくくなるとともに、ポリ袋用閉鎖器具を落とした際に音がして、使用者に気付かせることができ、ポリ袋用閉鎖器具の損失を防止するとともに、異物混入を防止することができる。さらに、直線部にポリ袋を縒って巻き付け、その両側を湾曲部に引っ掛けると、直線部が斜めになるので、ポリ袋用閉鎖器具を持ち上げた際に、ポリ袋の巻き付け部が直線部に沿って下方へ移動する。このため、下に位置する巻き付け部は、上から押さえられ、摩擦力が増大するので、ポリ袋の落下を防止して、確実にポリ袋を閉鎖することができる。
【００１３】
また、本発明のポリ袋用閉鎖器具は、前記ポリ袋の前記開口部の周長と、前記湾曲部の内径との比が、１００対１〜１０である構成を有している。
【００１４】
この構成により、ポリ袋の開口部の周長と、湾曲部の内径との比を１００対１〜１０とすることにより、ポリ袋がポリ袋用閉鎖器具から抜けにくく、かつ、装着しやすくなる。すなわち、湾曲部の内径が１００対１０よりも大きくなると、ポリ袋に対して湾曲部の内径が大きくなりすぎるので、抜けやすくなる。一方、湾曲部の内径が１００対１以下になると、湾曲部の内径が小さくなりすぎるので、ポリ袋を湾曲部に通しにくくなる。
【００１５】
また、本発明のポリ袋用閉鎖器具は、前記膨出部の直径が、５〜２０ｍｍである構成を有している。
【００１６】
この構成により、膨出部の直径を５〜２０ｍｍとすることにより、ポリ袋の損傷を防止するとともに、ポリ袋を湾曲部に通しやすくなる。
【００１７】
さらに、本発明のポリ袋の閉鎖方法は、ポリ袋用閉鎖器具の直線部に、前記ポリ袋の巻き付け部を２回以上巻き付けた後、前記直線部の両側の湾曲部に前記巻き付け部を引っ掛けるものである。
【００１８】
この構成により、直線部にポリ袋を縒って２回以上巻き付け、その両側を湾曲部に引っ掛けると、直線部が斜めになるので、ポリ袋用閉鎖器具を持ち上げた際に、ポリ袋の巻き付け部が直線部に沿って下方へ移動する。このため、下に位置するポリ袋の巻き付け部は、上から押さえられ、摩擦力が増大するので、ポリ袋の落下を防止して、確実にポリ袋を閉鎖することができる。
【発明の効果】
【００１９】
本発明によれば、全体略Ｓ字形状のポリ袋用閉鎖器具を、金属製の棒部材から形成し、直線部と両側に設けられる湾曲部とをなめらかに連続したので、ポリ袋を損傷させない。また、Ｓ字形状の両端に略球状の金属製の膨出部を設けたので、ポリ袋が脱落しにくくなるとともに、ポリ袋用閉鎖器具を落とした際に音がして、使用者に気付かせることができ、ポリ袋用閉鎖器具の紛失を防止するとともに、異物混入を防止することができる。さらに、直線部にポリ袋の開口部側の所定位置を縒って巻き付け、その両側を湾曲部に引っ掛けると、直線部が斜めになるので、ポリ袋用閉鎖器具を持ち上げた際に、ポリ袋の巻き付け部が直線部に沿って下方へ移動する。このため、下に位置するポリ袋の巻き付け部は、上から押さえられ、摩擦力が増大するので、ポリ袋の落下を防止して、確実にポリ袋を閉鎖することができるという効果を有するポリ袋用閉鎖器具およびポリ袋の閉鎖方法を提供することができるものである。
【図面の簡単な説明】
【００２０】
【図１】本発明の実施形態にかかるポリ袋用閉鎖器具の斜視図である。
【図２】ポリ袋を広げた状態の斜視図である。
【図３】ポリ袋用閉鎖器具の直線部にポリ袋を巻き付けた状態を示す斜視図である。
【図４】本発明にかかるポリ袋用閉鎖器具によってポリ袋を閉鎖した状態を示す斜視図である。
【図５】ポリ袋の開口部の周長と湾曲部の内径との比に対するすり抜けにくさおよび通し易さの検証結果を示す表である。
【図６】（Ａ）〜（Ｄ）は、従来の閉鎖器具の平面図および使用状態を示す斜視図である。
【発明を実施するための形態】
【００２１】
以下、添付図面を参照して、本発明を実施するための形態（以下、実施形態）について詳細に説明する。なお、実施形態の説明の全体を通して同じ要素には同じ番号を付している。
【００２２】
図１に示すように、本発明に係る実施形態であるポリ袋用閉鎖器具１０は、ポリ袋２０（図２参照）の開口部２１を閉鎖するためのものであり、直線部１１と、この直線部１１の両端になめらかに連続する略円弧状の湾曲部１２，１３と、各湾曲部１２，１３の先端に取り付けた略球状の膨出部１４とを有する。直線部１１は、ポリ袋２０の開口部２１側の所定位置を縒って細くした巻き付け部２２を巻き付ける部分であり、両湾曲部１２，１３は直線部１１に巻き付けた巻き付け部の両側を引っ掛ける部分である。
【００２３】
直線部１１および両湾曲部１２，１３は金属製の棒部材から形成されており、略同一面上にあって全体略Ｓ字形状を呈している。従って、直線部１１および両湾曲部１２，１３は、例えば、１本の棒部材を屈曲して形成することができる。また、膨出部１４も金属製であり、湾曲部１２，１３の先端に接合する。
【００２４】
膨出部１４の直径Ｄ２は、５〜２０ｍｍとするのが好ましい。すなわち、直径Ｄ２が５ｍｍ未満の場合には、ポリ袋２０を損傷するおそれがあり、２０ｍｍ以上の場合には、ポリ袋２０を湾曲部１２，１３に通しにくくなるためである。なお、８〜１５ｍｍとするのがより好ましい。
【００２５】
図１および図２に示すように、ポリ袋２０の開口部２１の周長Ｌと、湾曲部１２，１３の内径Ｄ１との比は、１００対１〜１０とするのが好ましい。すなわち、図５に示すように、周長Ｌに対する内径Ｄ１の比が、１００対１０以上になると、ポリ袋２０の開口部の大きさに対して湾曲部１２，１３の内径Ｄ１が大きくなりすぎるので、抜けやすくなる。一方、比が１００対１以下になると、湾曲部１２，１３の内径Ｄ１が小さくなりすぎるので、ポリ袋２０を湾曲部１２，１３に通しにくくなる。これより、１００対１〜１０とするのが好ましい。さらに、１００対１．５〜８とするのがより好ましい。
【００２６】
従って、例えば、開口部２１の周長Ｌが１２０ｃｍの場合には、湾曲部１２，１３の内径Ｄ１は、３ｃｍ程度とすることができる。なお、この場合には、周長Ｌ：内径Ｄ１＝１００：２．５である。
【００２７】
次に、前述したポリ袋用閉鎖器具１０を用いたポリ袋２０の閉鎖方法（閉鎖動作）について説明する。
まず、食品原料等の収容物を収容したポリ袋２０の開口部２１側の所定位置を縒って細くして巻き付け部２２を形成する。収容物を下にして巻き付け部２２の中間部にポリ袋用閉鎖器具１０の直線部１１をあてて、巻き付け部２２を直線部１１に２回以上巻き付ける（図３参照）。巻き付けた巻き付け部２２の下側および上側の巻き付け部２２を、直線部１１の両側の湾曲部１２，１３に引っ掛ける。このとき、両湾曲部１２，１３を上下方向に並べると、直線部１１が斜めになる（図４参照）。
【００２８】
以上、説明した本発明にかかる実施形態の発明によれば、全体略Ｓ字形状のポリ袋用閉鎖器具１０を、金属製の棒部材から形成し、直線部１１と両側に設けられる湾曲部１２，１３とをなめらかに連続したので、ポリ袋用閉鎖器具１０をポリ袋１０に取り付ける際に、ポリ袋２０を損傷させない。また、金属製なので、裁断されて異物として混入するのを防止できる。
【００２９】
また、Ｓ字形状の両端に略球状の金属製の膨出部１４を設けたので、ポリ袋２０が脱落しにくくなるとともに、ポリ袋用閉鎖器具１０を落とした際に音がして、使用者に気付かせることができ、ポリ袋用閉鎖器具の損失を防止するとともに、異物混入を防止することができる。
【００３０】
さらに、直線部１１にポリ袋２０の開口部２１側の所定位置を縒って巻き付け、その両側を湾曲部１２，１３に引っ掛けると、直線部１１が斜めになるので、ポリ袋用閉鎖器具１０を持ち上げた際に、ポリ袋２０の巻き付け部２２が直線部１１に沿って下方へ移動する。このため、下に位置するポリ袋の巻き付け部２２は、上から押さえられ、摩擦力が増大するので、ポリ袋２０の落下を防止して、確実にポリ袋２０を閉鎖することができる。
【００３１】
また、ポリ袋２０の開口部２１の周長Ｌと、湾曲部１２，１３の内径Ｄとの比を１００対１〜１０とすることにより、ポリ袋２０がポリ袋用閉鎖器具１０から抜けにくく、かつ、装着しやすくなる。
【００３２】
また、膨出部１４の直径を５〜２０ｍｍとすることにより、ポリ袋２０の損傷を防止するとともに、ポリ袋２０を湾曲部１２，１３に通しやすくなる。
【００３３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３４】
１０  ポリ袋用閉鎖器具
１１  直線部
１２，１３  湾曲部
１４  膨出部
２０  ポリ袋
２１  開口部
２２  巻き付け部
Ｄ１  湾曲部の内径
Ｄ２  膨出部の直径
Ｌ  開口部の周長
【図１】
0005479983.tif 000002
【図２】
0005479983.tif 000003
【図３】
0005479983.tif 000004
【図４】
0005479983.tif 000005
【図５】
0005479983.tif 000006
【図６】
0005479983.tif 000007